(57)【要約】【課題】種類が異なるソケットに適合可能なソケット施錠装置を提供すること。【解決手段】ソケット施錠装置は、本体と、それぞれが前記本体の下面から伸びる２つの伸長部と、前記本体を貫通する位置決め用穴と、前記伸長部間の側面に形成された固定用突起とを有する柱状部材と、該柱状部材の下部から前記位置決め用穴へ伸びる施錠用ピンであって上ストッパーと、下ストッパーと、位置決め用突起とを有する施錠用ピンとを含み、前記伸長部及び前記施錠用ピンが前記ソケットの前記空間へ伸び、かつ前記施錠用ピンの前記上ストッパーが前記柱状部材の前記位置決め用穴を経て伸びるとき、前記ソケットの前記凹所に受入れられた前記固定用突起及び前記位置決め用突起に加え、前記上ストッパーの前記本体の上面への接触が前記ソケットの移動を阻止する。【選択図】図１
2008168023.tif 000002
【特許請求の範囲】
【請求項１】
一端部に形成された空間と、該空間を規定する内面に形成された複数の凹所とを有するソケットのための施錠装置であって、
本体と、それぞれが前記本体の下面から前記ソケットの前記空間へ伸びる２つの伸長部と、前記本体を貫通する位置決め用穴と、前記伸長部間の側面に形成され、前記ソケットの前記凹所に受入れられる固定用突起とを有する柱状部材と、
施錠用ピンであって前記柱状部材の前記位置決め用穴を経て伸びる上ストッパーと、前記施錠用ピンの側面に形成され、前記本体の下面に接触する下ストッパーと、前記側面に形成され、前記ソケットの前記凹所に受入れられる位置決め用突起とを有する施錠用ピンとを含み、
前記伸長部及び前記施錠用ピンが前記ソケットの前記空間へ伸び、かつ前記施錠用ピンの前記上ストッパーが前記柱状部材の前記位置決め用穴を経て伸びるとき、前記ソケットの前記凹所に受入れられた前記固定用突起及び前記位置決め用突起に加え、前記上ストッパーの前記本体の上面への接触が前記ソケットの移動を阻止する、ソケット施錠装置。
【請求項２】
前記下ストッパーは、楔状であり、傾斜した下面と、平坦な上面とを有し、前記施錠用ピンは、前記位置決め用突起と反対側の側面に形成されたアーチ形の切欠きを有し、前記下ストッパーの前記上面の前記本体の前記下面への接触は前記位置決め用突起の移動を妨げ、前記施錠用ピンが変形を生じたときに前記位置決め用突起が前記ソケットの前記凹所に受入れられる、請求項１に記載のソケット施錠装置。
【請求項３】
前記施錠用ピンは、前記上ストッパーが前記施錠用ピンから除去されたときにのみ前記柱状部材から解放される、請求項１又は２に記載のソケット施錠装置。
【発明の詳細な説明】
【技術分野】
【０００１】
本発明は、種類が異なるソケットに適合するソケット施錠装置に関する。
【背景技術】
【０００２】
市場には２種類のソケットが出回っている。第１のソケットは、一端部に一体に形成されたビットを備え、第２のソケットは、端部にビットが形成されていない。前記第１のソケットは、他端部に設けられた、貫通していない穴を有する。前記第２のソケットは、該第２のソケットの本体を貫通する貫通穴を有する。
【０００３】
ソケットが棚に陳列されているとき、前記ソケットの盗難を防止するため、２種類のソケットのそれぞれに異なる施錠装置が必要となる。第１の施錠装置は、前記第１のソケットの移動を制限するのに必要である。第１の施錠装置は、ブラケットと、柱状部材と、鳩尾形の横断面形状を有するレールを下面に備える記述プレートとを含む。前記柱状部材は前記第１のソケットの前記穴へ伸びる。前記柱状部材は、該柱状部材の上面に形成され前記記述プレートの前記レールを受入れるレール受入れ部を有する。前記記述プレートの前記レールが前記柱状部材の前記レール受入れ部に受入れられているとき、前記柱状部材は前記記述プレートに対して滑動可能である。前記ブラケットは、細長い穴を有し、前記記述プレートの側部に固定されており、前記第１のソケットの前記ビットは前記穴を経て伸びる。前記第１のソケットの前記ビットが前記穴に拘束されることにより、前記第１のソケットが前記記述プレートに固定され、前記第１のソケットを許可なく移動させることが困難となる。
【０００４】
前記本体を貫通する前記貫通穴を有する前記第２のソケットのための第２の施錠装置は、柱状部材と、施錠用ピンと、記述プレートとを備える。前記記述プレートは、その下部に形成されたレールを有し、前記柱状部材は、その上部に形成され前記レールを受入れるレール受入れ部を有する。前記柱状部材は前記第２のソケットの前記貫通穴へ伸びる。前記施錠用ピンは前記柱状部材と反対方向に前記貫通穴へ伸びる。前記施錠用ピンが前記貫通穴へ伸びることにより、前記施錠用ピンの端部に形成されたフックが前記柱状部材の穴から伸びる。前記施錠用ピンが前記第２のソケットの前記貫通穴及び前記柱状部材の前記穴へ伸びることにより、前記第２のソケットは前記記述プレートに固定される。前記施錠用ピンの前記フックが、例えば切断により除去されたときにのみ、前記第２のソケットは前記記述プレートから取り外すことができる。
【０００５】
いずれの施錠装置も特定の種類のソケットのために設計されており、他の種類のソケットに適合しない。このため、２種類のソケットのために異なる施錠装置を用意しなければならない。これには多大な費用を要する。
【発明の開示】
【発明が解決しようとする課題】
【０００６】
本発明は、前記した問題点を改善するソケット施錠装置を提供する。
【０００７】
本発明の目的は、種類が異なるソケットに適合可能なソケット施錠装置を提供することである。
【課題を解決するための手段】
【０００８】
本発明に係るソケット施錠装置は、柱状部材と、施錠用ピンとを含む。前記柱状部材は、本体と、それぞれが前記本体の下面から下方へ伸びる２つの伸長部と、該伸長部間の側面に形成された固定用突起と、前記本体を貫通する位置決め用穴とを有する。前記施錠用ピンは、それぞれが前記施錠用ピンの一方の側部に形成された上ストッパー及び下ストッパーと、前記施錠用ピンの前記側部に形成された位置決め用突起とを有する。前記施錠用ピンは前記伸長部間にあって前記位置決め用穴を貫通している。前記上ストッパーは突起からなり、前記下ストッパーは楔状を呈している。すなわち、前記下ストッパーは平坦な上面と傾斜した下面とを有する。
【０００９】
前記施錠用ピンが前記柱状部材の前記本体の前記位置決め用穴を貫通しているとき、前記下ストッパーの前記上面は、前記施錠用ピンが前記柱状部材に対して上方へ移動するのを阻止する。前記上ストッパーは、前記施錠用ピンが前記柱状部材に確実に接続されるようにするため、平坦な下面を有する。
【００１０】
前記施錠用ピンが前記柱状部材に接続されているとき、前記施錠用ピンの前記位置決め用突起は、ソケットの内面に形成された複数の凹所の１つに受入れられている。
【００１１】
本発明の他の目的、利点及び新規な特徴は、添付の図面に関する以下の詳細な説明からより明らかになる。
【発明を実施するための最良の形態】
【００１２】
図１に示すように、本発明に係るソケット施錠装置は、柱状部材１０と、施錠用ピン２０とを含み、柱状部材１０及び施錠用ピン２０は、一端部に形成された空間３１を有するソケット３０に適合する。ソケット３０は、さらに、空間３１を規定する内面に形成された複数の凹所３２を有する。
【００１３】
柱状部材１０は、本体１１と、該本体を貫通する位置決め用穴１１１と、それぞれが本体１１の下面から伸びる２つの伸長部１２と、本体１１の上面に形成されたレール受入れ部１３とを有する。伸長部１２間の側面に固定用突起１２１が形成されている。
【００１４】
伸長部１２は互いに間隔を置かれており、位置決め用穴１１１は伸長部１２間の空間と連通している。好ましくは、固定用突起１２１は、伸長部１２間の型打ちされた側面に形成されており、固定用突起１２１のみならず前記側面も弾性を有する。
【００１５】
施錠用ピン２０は、柱状部材１０の位置決め用穴１１１へ伸びるロッドからなり、それぞれが施錠用ピン２０の側面に形成された上ストッパー２１及び下ストッパー２２と、位置決め用突起２３と、該位置決め用突起と反対側の側面に形成されたアーチ形の切欠き２４とを有する。
【００１６】
図２Ａないし２Ｄに示すように、ソケット３０を前記ソケット施錠装置と組合せるとき、まず、上ストッパー２１が位置決め用穴１１１の上方に位置するように施錠用ピン２０を押上げる。上ストッパー２１が本体１１の前記上面と噛合うことにより、施錠用ピン２０は柱状部材１０に確実に接続される。次に、ソケット３０を押上げる。ソケット３０を押上げているとき、施錠用ピン２０だけでなく柱状部材１０の伸長部１２もソケット３０の空間３１に受入れられる。これにより、柱状部材１０の固定用突起１２１と、施錠用ピン２０の位置決め用突起２３とが、空間３１を規定する傾斜面に接触可能となる。さらに、ソケット３０を上方へ移動させることにより、施錠用ピン２０はソケット３０と同じ方向に移動し、下ストッパー２２は本体１１の前記下面に接触する。さらに、ソケット３０に該ソケットを上方へ移動させるように力を加えると、伸長部１２間の型打ちされた前記側面、及び施錠用ピン２０にアーチ形の切欠き２４の作用により、伸長部１２及び施錠用ピン２０は、固定用突起１２１及び位置決め用突起２３がソケット３０の空間３１の中へ滑動可能となるための隙間を形成するように変形する。その後、固定用突起１２１及び位置決め用突起２３のそれぞれは、ソケット３０の対応する凹所３２に受入れられる。
【００１７】
図３、４Ａ及び４Ｂに示すように、ソケット３０が前記ソケット施錠装置と組合されているとき、固定用突起１２１及び位置決め用突起２３のそれぞれはソケット３０の対応する凹所３２に受入れられており、ソケット３０を前記ソケット施錠装置から引き離そうとしてソケット３０を下方へ引張ると、上ストッパー２１と本体１１の前記上面とが噛合う。このとき、固定用突起１２１はソケット３０の凹所３２から外れる。
【００１８】
図５に示すように、下ストッパー２２は、楔状を呈しており、傾斜した下面と、本体１１の前記下面との噛合せを容易にするための平坦な上面とを有する。許可された者がソケット３０を移動するとき、施錠用ピン２０が位置決め用穴１１１から抜けるようにするため、上ストッパー２１を切断する。これによりソケット３０は柱状部材１０から取り外し可能となる。
【００１９】
図６に示す例では、下面に形成された、鳩尾形の横断面形状を有するレール４１を備える記述プレート４０と、それぞれがレール４１の側部に形成された２つの穴４２と、それぞれが穴４２へ伸びる２つのボルト４３とが用いられている。前記ソケット施錠装置のレール受入れ部１３にレール４１が受入れられているとき、前記ソケット施錠装置はレール４１に対して滑動可能である。ソケット３０と前記ソケット施錠装置とが組合されたものを記述プレート４０に保持させるため、ソケット３０と同じ数の前記ソケット施錠装置をレール４１に滑動可能に取り付けることができる。ソケット３０と組合された複数の前記ソケット施錠装置が記述プレート４０のレール４１に滑動可能に取り付けられた後、前記ソケット施錠装置が記述プレート４０から外れないようにするため、各ボルト４３を対応する穴４２に挿入する。
【００２０】
図７に示す例では、記述プレート４０’は、より多くの、前記ソケット施錠装置とソケット３０とが組合されたものを取り付けられるようにするため、それぞれが記述プレート４０の側部に形成された２本のレール４１を有する。
【００２１】
図６に示した例では、前記ソケット施錠装置が記述プレート４０から外れないようにするため、ボルト４３及び穴４２が用いられている。しかし、記述プレート４０がＬ字形を呈している場合、前記ソケット施錠装置が記述プレート４０から外れないようにするための別の手段が用いられる。図８に示す例では、側面から伸びる翼５１と、該翼の側面に形成された複数の管５２とを有するプラグ５０が用いられている。記述プレート４０の側面に、プラグ５０の管５２に対応する複数のロッド４４が形成されている。ソケット３０と組合された前記ソケット施錠装置が記述プレート４０のレール４１に滑動可能に取り付けられた後、各ロッド４４が管５２に挿入されることによりプラグ５０が記述プレート４０の側部に固定される。このため、ソケット３０と前記ソケット施錠装置とが組合されたものが記述プレート４０から外れることはない。ロッド４４が形成された側面と反対側の側面に、レンチＡを把持するための第１クランプ４５と、延長ロッドＢを把持するための第２クランプ４６とが形成されている。
【００２２】
図９に示す例では、記述プレート４０’は柱状部材１０’の上部に一体に形成されている。この点を除いて、施錠用ピン２０の構成及びソケット３０の構成は前記した例と同じである。
【００２３】
図１０に示す例では、記述プレート４０’が柱状部材１０’の上部に一体に形成されているが、操作手順及び前記ソケット施錠装置によるソケット３０の施錠効果は前記した例と同じである。
【００２４】
図１１、１２に示すように、複数の、ソケット３０と前記ソケット施錠装置とが組合されたものは、レンチＡを把持する第１クランプ４５を備える記述プレート４０’の一方の側部にのみ取り付けられていてもよいし、記述プレート４０の相対する２つの側部のそれぞれに取り付けられていてもよい。
【００２５】
前記ソケット施錠装置は、貫通していない穴又は貫通穴を有するソケットに適合可能である。すなわち、前記ソケットが、その一端部に形成された空間（貫通していない穴又は貫通穴）を有していれば、前記ソケット施錠装置を前記ソケットに適用することができる。
【図面の簡単な説明】
【００２６】
【図１】本発明に係るソケット施錠装置の分解斜視図。
【図２Ａ】ソケット施錠装置及びソケットの操作時の概略図。
【図２Ｂ】ソケット施錠装置及びソケットの操作時の概略図。
【図２Ｃ】ソケット施錠装置及びソケットの操作時の概略図。
【図２Ｄ】ソケット施錠装置及びソケットの操作時の概略図。
【図３】組合せた後における、ソケット施錠装置とソケットとの間の構造的な関係を示す部分断面図。
【図４Ａ】ソケットをソケット施錠装置から引き離そうとしたときの前記ソケット施錠装置による施錠効果を示す概略図。
【図４Ｂ】ソケットをソケット施錠装置から引き離そうとしたときの前記ソケット施錠装置による施錠効果を示す概略図。
【図５】施錠用ピンの下ストッパーと柱状部材の本体の下面との噛合いを示す断面図。
【図６】ソケット施錠装置に記述プレートが用いられていることを示す斜視図。
【図７】記述プレートの相対する２つの側部のそれぞれにソケット施錠装置が配置されていることを示す平面図。
【図８】ソケット施錠装置に異なる記述プレートが組合されていることを示す分解斜視図。
【図９】本発明の他の実施例に係る、柱状部材が記述プレートと一体に形成されているソケット施錠装置の分解斜視図。
【図１０】ソケット施錠装置が前記ソケットと組合されていることを示す部分断面図。
【図１１】ソケット施錠装置が異なる記述プレートに取り付けられていることを示す分解斜視図。
【図１２】上面に取り付けられたレンチを備える記述プレートの相対する２つの側部のそれぞれにソケット施錠装置が配置されていることを示す平面図。
【符号の説明】
【００２７】
１０、１０’    柱状部材
１１    本体
１２    伸長部
２０    施錠用ピン
２１    上ストッパー
２２    下ストッパー
２３    位置決め用突起
２４    切欠き
３０    ソケット
３１    空間
３２    凹所
１１１    位置決め用穴
１２１    固定用突起
【図１】
2008168023.tif 000003
【図２Ａ】
2008168023.tif 000004
【図２Ｂ】
2008168023.tif 000005
【図２Ｃ】
2008168023.tif 000006
【図２Ｄ】
2008168023.tif 000007
【図３】
2008168023.tif 000008
【図４Ａ】
2008168023.tif 000009
【図４Ｂ】
2008168023.tif 000010
【図５】
2008168023.tif 000011
【図６】
2008168023.tif 000012
【図７】
2008168023.tif 000013
【図８】
2008168023.tif 000014
【図９】
2008168023.tif 000015
【図１０】
2008168023.tif 000016
【図１１】
2008168023.tif 000017
【図１２】
2008168023.tif 000018